(57)【要約】【課題】  ケーブル等の障害物がある場合でも干渉せずに保守部品を引き出すことが可能な筐体を提供すること。【解決手段】  部品が搭載されたカードを挿入するスロットを備え、端部に保守部品を設ける筐体の前記保守部品の外側にラックマウント金具を設けた筐体であって、前記ラックマウント金具は前記筐体と前記保守部品との間に空間が形成されるようにガイド構造部を備え、前記空間は前記保守部品を、前記保守部品の挿入側に配線されるケーブルと干渉せずに、斜めに引き出せる大きさであることを特徴とする筐体である。【選択図】  図１
2018200961.tif 000002
【特許請求の範囲】
【請求項１】
部品が搭載されたカードを挿入するスロットを備え、端部に保守部品を設ける筐体の前記保守部品の外側にラックマウント金具を設けた筐体であって、
前記ラックマウント金具は前記筐体と前記保守部品との間に空間が形成されるようにガイド構造部を備え、前記空間は、前記保守部品を、前記保守部品の挿入側に配線されるケーブルと干渉せずに、斜めに引き出せる大きさであることを特徴とする筐体。
【請求項２】
前記保守部品を、前記ラックマウント金具のカードを挿入する側とは反対側を軸にして前記スロットのある側と反対側に回転させ、前記カード挿入側から前記保守部品を引き出す請求項１に記載の筐体。
【請求項３】
前記斜め方向に折り曲げ部を有するガイドレールが前記ラックマウント金具に設けられた請求項２に記載の筐体。
【請求項４】
前記折り曲げ部は前記ガイドレールの上下に設けられている請求項３に記載の筐体。
【請求項５】
前記ケーブルを支えるケーブルサポート部が前記筐体の前記保守部品のある側に設けられている請求項１から４のいずれか一項に記載の筐体。
【請求項６】
前記カードが複数実装され、前記複数のカードから引き出されるケーブルを保持する整線用ガイドを前記筐体の端部に設けた請求項１から５のいずれか一項に記載の筐体。
【請求項７】
前記ガイド構造部の前記保守部品の挿入側に、前記保守部品を引き出す間口を備えた請求項１から６のいずれか一項に記載の筐体。
【請求項８】
前記保守部品はエアフィルタである請求項１から７のいずれか一項に記載の筐体。
【請求項９】
前記ケーブルは光ケーブルである請求項１から８のいずれか一項に記載の筐体。
【発明の詳細な説明】
【技術分野】
【０００１】
本発明は、通信装置等を収容する筐体に関し、特に保守部品の取り外しが容易な筐体に関する。
【背景技術】
【０００２】
近年の通信装置等を収容する筐体（以下通信装置筐体）の開発動向として、通信事業者からの大容量化、高密度化の要望に対し、装置の小型・軽量化を実現することが重要になる。しかし、これらを実現するためには、装置の操作、ケーブル接続におけるマンマシンインターフェースを小型化し、かつ高密度に実装する必要が発生する。また、装置は規格化されたラックへ実装される場合が多く、このような制約の中で、操作性を考慮した機能配置やケーブルマネジメントは、装置を開発するうえの重要なファクターとなっている。
【０００３】
通信装置筐体において装置が動作している状態での保守部品の交換は必須要件である。保守部品は、例えばカード、ＦＡＮユニット、エアフィルタ等であり、電気部品の故障時や何らかの障害時、あるいは清掃やメンテナンスのために交換あるいは取り外して点検可能な部品である。現状の筐体構造ではカード交換時に光ケーブルを動かすことによる通信障害を引き起こす可能性あることや、交換を容易にするために保守部品を分割化することによる部品コストの増加があったため、装置の信頼性を向上させ、且つ部品コストも安価に抑えることのできる構造の実現が望まれていた。
【０００４】
図６は既存の通信装置筐体を示す概略図で、カードを挿抜する側から見た図である。以下この方向から見た図を正面図とする。
【０００５】
ここで、カード１１０〜１１７は、ラックマウント金具１５０で通信装置筐体１００に横向きに実装されている。通信装置筐体１００の右端にはＦＡＮユニット１２０が実装され、ＦＡＮユニット１２０に内蔵されたファンを回転させてエアフィルタ１３０を通して空気を吸うことで、８枚のカード１１０〜１１７は冷却される。
【０００６】
図６はカードを横向きに実装する筐体であるが、通信装置筐体の幅を19inchラックの幅に適合するよう設計すると、幅寸法の制約から、ケーブル配線領域を十分に確保できない場合がある。そのような場合には、保守部品（ＦＡＮユニットやエアフィルタ等）の交換や点検に必要となる領域を横断し、光ケーブルをラック（架）側に配線することがある。その場合保守部品の交換に必要な領域と光ケーブルが配線されている領域が干渉するため、保守部品の交換を行う場合は光ケーブルを一時的に移動させて保守に必要な空間を確保していた。通信インフラ装置の場合、装置を停止させることができないため、保守作業は通常、装置を稼働させた状態で行う。光ケーブルを動かすと光ケーブルが抜けたり、端子を破損したりする等のミスが起こり、通信障害を引き起こす可能性が増大する。このため、光ケーブルを動かさずに保守部品を交換できる構造を実現することが課題となる。
【０００７】
前項で記載したように、保守部品の交換に必要となる領域に光ケーブルが配線され、保守部品を正面に引き出して交換しようとすれば光ケーブルと干渉してしまう場合は、保守部品の交換時には光ケーブルを動かす作業が必要である。
【０００８】
特許文献１の空気調和機では、吸い込みパネル３がキャビネット２に対して下部を支点に上方部が前方に開閉可能であり、吸い込みパネル３の内面側にエアフィルタ５が着脱自在に設置されている。
【先行技術文献】
【特許文献】
【０００９】
【特許文献１】国際公開第2011/077971号公報
【発明の概要】
【発明が解決しようとする課題】
【００１０】
特許文献１では、空調機の前面にケーブル等のエアフィルタを引き出す時に障害となる物は存在せず、吸い込みパネルの開閉は干渉されない。そのため特許文献１では上述の干渉を解決できない。
【００１１】
本発明の目的は、以上述べた問題点を解決し、ケーブル等の障害物がある場合でも干渉せずに保守部品を引き出すことが可能な筐体を提供することである。
【課題を解決するための手段】
【００１２】
本発明は、部品が搭載されたカードを挿入するスロットを備え、端部に保守部品を設ける筐体の前記保守部品の外側にラックマウント金具を設けた筐体であって、
前記ラックマウント金具は前記筐体と前記保守部品との間に空間が形成されるようにガイド構造部を備え、前記空間は前記保守部品を、前記保守部品の挿入側に配線されるケーブルと干渉せずに、斜めに引き出せる大きさであることを特徴とする筐体である。
【発明の効果】
【００１３】
本発明では、保守部品の交換や点検を行う際に、交換、点検の動線とケーブルの干渉を回避し、ケーブルを動かす必要がなくなる
【図面の簡単な説明】
【００１４】
【図１】本発明の第１の実施形態の通信装置筐体を示す図であり、（ａ）は上面図、（ｂ）は正面図、（ｃ）は側面図である。
【図２】本発明の第１の実施形態の筐体において、保守部品であるエアフィルタを交換する方法を説明するための上面図である。
【図３】本発明の第１の実施形態の通信装置筐体を示す斜視図であり、（ａ）はエアフィルタを入れた状態、（ｂ）はエアフィルタを外した状態を示す。
【図４】本発明の第１の実施形態の通信装置筐体を示す図であり、（ａ）は図１（ｂ）と同様の正面図、（ｂ）は（ａ）のＡ−Ａ’断面を示してエアフィルタ挿入時の回転と挿抜を説明する図である。
【図５】本発明の第２の実施形態の通信装置筐体を示す図である。
【図６】既存の通信装置筐体を示す概略図であり、カードを挿抜する側から見た図である。
【発明を実施するための形態】
【００１５】
（第１の実施形態）
図１〜４を用いて本発明の第１の実施形態を説明する。本実施形態は光ケーブルを動かすことなく、エアフィルタの交換を実現する構造である。
図１（ｂ）に示すように、本実施形態の通信装置筐体２００（以下筐体２００と略称することがある）のカードスロットには、電子部品や光部品が搭載されたカード２１０〜２１７が実装されている。カード２１０〜２１７には、光信号や電気信号を処理するためのＩＣ（Integrated Circuit）、伝送線路、キャパシタ、コイル、光電変換素子、発光素子、光送受信端子等が搭載されている。カード２１０〜２１７を冷却するために、筐体２００の側面（図１（ｂ）では右側）にＦＡＮユニット２２０が設けてある。ＦＡＮユニット２２０と反対側の筐体側面（図１（ｂ）では左側）にはエアフィルタ２３０が設けてある。ここで筐体２００の概略の形状は直方体であり、その側面に取り付けるエアフィルタ２３０は概略矩形の網状である。全体が網状でもよいし、一部だけ網状でもよい。
【００１６】
ＦＡＮユニット２２０のファンを回転させてエアフィルタ２３０を通して空気を取り込んでカード２１０〜２１７を空冷する。エアフィルタ２３０はカード冷却用の空気にできるだけ埃等が混じらないようにフィルタする。またカード２１０〜２１７にはそれぞれ、カードをカードスロットから挿抜するためのイジェクトレバー２１０ａ〜２１７ａが設けられている。ＦＡＮユニット２２０、エアフィルタ２３０にはそれぞれ、挿抜するための取っ手２２０ａ、２３０ａが設けられている。
【００１７】
各カード２１０〜２１７には同じラック内あるいは他のラックに実装された他の通信機器（不図示）との間でデータ通信に使用する光ケーブル２４０が接続されている。カード２１０〜２１７の正面側に孔が開いていて、その孔から光ケーブル２４０が引き出されている。図示しないが、光ケーブル２４０は各カード２１０〜２１７に搭載された光送受信端子に接続されている。本実施形態では光ケーブル２４０の配線ルートは筐体２００の正面向かって左側、すなわちエアフィルタ２３０の正面を横切るルートとする。
【００１８】
筐体２００の左右には、通信装置筐体２００をラック（不図示）に固定するための構造物であるラックマウント金具２５０、２５０’が設けてある。通信装置筐体２００はラックマウント金具２５０に複数設けたケーブルサポート部２５０ｃよりラックに固定（ネジ止め）される。
【００１９】
図１（ａ）に示したように、エアフィルタ２３０のある側のラックマウント金具２５０は、エアフィルタ２３０との間に空間を確保する。そのために、ラックマウント金具２５０は、エアフィルタ２３０を挿抜するための間口２５０ａ及び斜めに挿抜するためのガイド構造２５０ｂを備えている。ガイド構造２５０ｂによって、エアフィルタ２３０とラックマウント金具２５０の間にあって、エアフィルタ２３０が回転できる空間が確保される。ガイド構造２５０ｂはエアフィルタ２３０を引き出す側（手前側）は開口しており、反対側（背面側）は図４（ｂ）の拡大部分に示したように閉じており、ストッパ部２５０ｄを形成する。エアフィルタ２３０を挿入すると、背面側がストッパ部２５０ｄに当たって止まり、背面側にエアフィルタ２３０が抜けることはない。なおＦＡＮユニットのある側のラックマウント金具２５０’にはこのような空間は設けない。
【００２０】
更に、本実施形態のガイド構造２５０ｂでは、細長くほぼ直角三角形の形状を持つガイドレール３０１を、ガイド構造２５０ｂ内の上下に設置する。図３は筐体２００の斜視図であり、（ａ）はエアフィルタを入れた状態、（ｂ）はエアフィルタを外した状態を示す。ガイドレール３０１は板金で形成し、その端をエアフィルタ２３０のある側に折り曲げて折り曲げ部３０１ａ、３０１ｂを形成する。折り曲げ部３０１ａ、３０１ｂがガイドになって、エアフィルタ２３０はスムーズに回転と挿抜ができる。なお図３（ａ）から分かるようにラックマウント金具２５０は網状で
またラックマウント金具２５０は、光ケーブル２４０を一本ずつ支えて保持するためのフックであるケーブルサポート部２５０ｃを備える。図１（ｂ）から分かるように、ケーブルサポート部２５０ｃはカードスロットの端部に位置し、光ケーブル２４０が水平から下方に向かって曲るカーブの箇所で光ケーブル２４０を支えている。ケーブルサポート部２５０ｃがあるため、筐体２００のカード挿入側から見て、あるカードから引き出された光ケーブルが、他のスロットから引き出されたケーブルとできるだけ錯綜しないように配線することができる。
【００２１】
また筐体２００のエアフィルタ２３０のある側の端に、整線用ガイド２９０を設けている。整線用ガイド２９０は、エアフィルタ２３０を挿抜する間口２５０ａの前に光ケーブル２４０が飛び出して間口２５０ａを塞がず、エアフィルタを斜めに挿抜できる程度に隙間を確保できるように、光ケーブル２４０の位置を規制する。光ケーブル２４０が水平から下方に向かって曲げる際に最少曲げ半径以上を確保できるように、ケーブルサポート部２５０ｃと整線用ガイド２９０の位置関係と寸法を調整する。
（動作の説明）
図１及び図２の動作説明図をもとに、保守部品の交換時に光ケーブルを動かすことなく、交換可能な構造について説明する。
【００２２】
図１に示したように、カード２１０〜２１７にはそれぞれ光ケーブル２４０が接続され、筐体正面向かって左側に配線されている。各カードのスロット毎に交換対象カードを交換する際に、その上下のカードに接続される光ケーブルが交換対象カードの正面を横切らないように、光ケーブルはケーブルサポート部２５０ｃにより整線されている。
【００２３】
以下図２と図４を用いてエアフィルタの交換方法を説明する。図４（ａ）は図１（ｂ）と同様の正面図であり、（ｂ）は、図４（ａ）のＡ−Ａ’断面を拡大して示している。
【００２４】
図６で述べたが、エアフィルタの挿入側つまり図６の手前に光ケーブルが配線されている場合、エアフィルタを筐体の正面側に真っ直ぐ引き出そうとすると光ケーブルと干渉してしまう。そこで、エアフィルタ２３０を交換する際は、図２に示すように、エアフィルタ２３０に具備された取っ手２３０ａを持ち、エアフィルタ２３０のカード挿入側と反対側つまり背面側の辺４０２（図４（ｂ）の拡大部分参照）とストッパ部２５０ｄの接する部分（角部分）を回転軸として、通信装置筐体２００を筐体上面から見てスロットのある側と反対側（図２の矢印に示した時計回りの方向）にエアフィルタを回転させる。背面側の辺４０２が接する部分のラックマウント金具２５０にはストッパ部２５０ｄがあり、このとき、エアフィルタが、ラックマウント金具２５０に具備されたエアフィルタ挿抜用のガイド構造２５０ｂに突き当たるまで回転させる。その後ガイドレール３０１の折り曲げ部３０１ａ、３０１ｂをガイドとして、エアフィルタを挿抜するための間口２５０ａから、ガイド構造２５０ｂに沿って斜め方向に引き抜く。このように回転と斜め挿抜を組み合わせることで、フィルタ交換の動線が光ケーブルと干渉しなくなる。そのため光ケーブルを動かすことなくエアフィルタを取り外すことが可能である。また、取り外しと逆の動作を行うことで光ケーブルを動かすことなく、エアフィルタを取り付けることも可能である。
（効果の説明）
本実施形態によって以下の効果が得られる。保守部品の交換時に光ケーブルを動かすことに起因して通信障害が発生する可能性があるが、その発生率を低減できる。エアフィルタあるいはＦＡＮユニットと配線された光ケーブルとの干渉を回避するためにエアフィルタあるいはＦＡＮユニットを分割して小型化し、作業領域を確保することも考えられるが、分割による部品コストの増加が問題となる。本実施形態ではエアフィルタやＦＡＮユニットの分割も不要となり、部品コストを抑制することが可能となる。
【００２５】
また、保守部品交換（挿抜）エリアを装置外に確保することで、機能カードに与えられる実装エリアが増大し、カードへの収容機能の増加を図ることも可能となる。
（第２の実施形態）
図５（ａ）は本発明の第２の実施形態の筐体５００を示す正面図であり、（ｂ）は（ａ）のＢ−Ｂ‘断面を示す図である。（ａ）から分かるように、電子部品、光部品等の部品（不図示）が搭載されたカード５１１〜５１Ｎがスロットに挿入されている。また筐体５００の端部に保守部品５３０が設けられている。保守部品の挿入側にはケーブル５４０が配線される。保守部品５３０の外側（保守部品を挟んでカードと反対側）にはラックマウント金具５５０が設けてある。ラックマウント金具５５０は、筐体５００と保守部品５３０との間に空間が形成されるようにガイド構造部５５０ｂを備えている。空間は、保守部品５３０を、保守部品の挿入側に配線されるケーブル５４０と干渉せずに、斜め方向Ｃに引き出せる大きさである。ケーブル５４０がラックマウント金具５５０の前に配線されているが、ガイド構造部５５０ｂの間口５５０ａが保守部品５３０を斜めに引き出せるだけの幅を持つように、ガイド構造部５５０ｂの寸法を設定しておけば、引き出す際にケーブル５４０が配線されている空間に重ならないようにできる。このようにすれば、ケーブル５４０を動かすことなく保守部品が交換可能になる。
（他の実施形態）
図２のようにカードが横向きに実装される通信装置筐体において、エアフィルタとＦＡＮユニットが第１の実施形態と逆の位置、即ちエアフィルタが筐体の正面側から見て右側にあり、ＦＡＮユニットが筐体の左側に配置され、光ケーブルが正面右側に配線された場合でも、本発明が適用できる。
【００２６】
また実施形態ではエアフィルタを交換する場合を述べたが、それ以外の例えばカードやＦＡＮユニット等も、光ケーブルと干渉せずに交換可能である。ＦＡＮユニットはエアフィルタよりも厚いため、ガイド構造２５０ｂを大きくして間口２５０ａを広げる。
【００２７】
また上記の実施形態ではエアフィルタを交換しているが、メンテナンス、例えば、エアフィルタについた埃、汚れ等を除去して再度取り付ける場合にも適用でき、その場合でも光ケーブルを動かさなくて済む。
【００２８】
また図１（ｂ）ではケーブルサポート部２５０ｃをカードスロットの端部ぎりぎりの位置に設けているが、少し右側つまりカード２１０〜２１７側に寄った位置に設けても良い。
【００２９】
また上述の実施形態では光ケーブル２４０を用いたが、電気ケーブルでもよい。
【産業上の利用可能性】
【００３０】
本発明は、屋内に設置される通信装置筐体に用いることができる。
【符号の説明】
【００３１】
１００、２００    通信装置筐体
１２０、２２０    ＦＡＮユニット
１１０〜１１７、２１０〜２１７、５１０〜５１Ｎ    カード
１３０、２３０    エアフィルタ
２４０    光ケーブル
１５０、２５０，２５０’、５５０    ラックマウント金具
２３０ａ    取っ手
２５０ａ、５５０ａ    間口
２５０ｂ、５５０ｂ    ガイド構造
２５０ｃ    ケーブルサポート部
２５０ｅ    ネジ穴
２９０    整線用ガイド
３０１    ガイドレール
３０１ａ、３０１ｂ    折り曲げ部
５００    筐体
５３０    保守部品
５４０    ケーブル
【図１】
2018200961.tif 000003
【図２】
2018200961.tif 000004
【図３】
2018200961.tif 000005
【図４】
2018200961.tif 000006
【図５】
2018200961.tif 000007
【図６】
2018200961.tif 000008